(57)【要約】  胎児監視システムから胎児監視データを受信するためのコンピューティングデバイス設備２０が開示される。コンピューティングデバイス設備は、胎児監視データを表示するように構成されたディスプレイデバイス３０、タッチスクリーンデバイス３２、及び、ディスプレイデバイスとタッチスクリーンデバイスとに通信可能に結合されたプロセッサ設備２４を備える。プロセッサ設備は、胎児監視システムから胎児監視データを受信することと、胎児監視データを表示するようにディスプレイデバイスを制御することと、タッチスクリーンデバイスからタッチスクリーンデバイスの領域における自由形式の入力３６を受信することと、自由形式の入力を使用して、前記タッチスクリーンデバイスの前記領域に対応する胎児監視データの表示領域３４に注釈付けすることにより胎児監視データを修正することと、データ記憶デバイス２８における記憶のために、修正された胎児監視データの出力を生成することとを行うように構成される。このようなコンピューティングデバイス設備を含む胎児監視システム、及び、このようなコンピューティングデバイス設備を使用して自由形式の注釈を生成する方法がさらに開示される。
2020523150.tif 000002
【特許請求の範囲】
【請求項１】
胎児監視システムから胎児監視データを受信するためのコンピューティングデバイス設備であって、前記コンピューティングデバイス設備は、
前記胎児監視データを表示するディスプレイデバイスと、
タッチスクリーンデバイスと、
前記ディスプレイデバイスと前記タッチスクリーンデバイスとに通信可能に結合されたプロセッサ設備と
を備え、前記プロセッサ設備は、
前記胎児監視システムから前記胎児監視データを受信し、
前記胎児監視データを表示するように前記ディスプレイデバイスを制御し、
前記タッチスクリーンデバイスから前記タッチスクリーンデバイスの領域における自由形式の入力を受信し、
前記自由形式の入力を使用して、前記タッチスクリーンデバイスの前記領域に対応する前記胎児監視データの表示領域に注釈付けすることにより前記胎児監視データを修正し、及び
データ記憶デバイスにおける記憶のために、修正された前記胎児監視データの出力を生成し、
前記自由形式の入力は、手書きされた、又は描かれた注釈を含み、
前記コンピューティングデバイス設備は、前記プロセッサ設備に通信可能に結合された識別手段をさらに備え、前記プロセッサ設備は、前記識別手段から、前記自由形式の入力を生成したユーザーを識別するユーザーの情報を含む識別データを受信し、及び、前記自由形式の入力を生成した前記ユーザーの前記識別データに基づいて自由形式の前記注釈のうちの少なくともいくつかにラベル付けする、
コンピューティングデバイス設備。
【請求項２】
前記識別手段は、ＲＦタグリーダー又は指紋リーダーを備え、前記ＲＦタグリーダーから受信されたＲＦタグデータ、及び、前記指紋リーダーから受信された指紋データは識別データを含む、請求項１に記載のコンピューティングデバイス設備。
【請求項３】
前記タッチスクリーンデバイスは、前記ディスプレイデバイスのディスプレイスクリーンである、請求項１に記載のコンピューティングデバイス設備。
【請求項４】
前記コンピューティングデバイス設備は、印刷可能媒体に前記胎児監視システムからの表示された前記胎児監視データを印刷する感熱プリンターデバイスをさらに備え、前記感熱プリンターデバイスは、前記印刷可能媒体に印刷された前記胎児監視データを含む前記印刷可能媒体の一部をさらす注釈領域を備え、前記タッチスクリーンデバイスは、前記印刷可能媒体の前記一部の下において前記注釈領域に配置された感圧タッチスクリーンデバイスである、請求項１に記載のコンピューティングデバイス設備。
【請求項５】
前記コンピューティングデバイス設備は、前記タッチスクリーンデバイスにおいて前記自由形式の入力を生成するための複数のスタイラスをさらに備え、各スタイラスは、前記情報を含むようにプログラム可能なＲＦタグを備える、請求項２に記載のコンピューティングデバイス設備。
【請求項６】
前記プロセッサ設備は、さらに、
以前に記憶された修正された胎児監視データの入手のためのユーザー要求を受信し、
前記データ記憶デバイスから、前記ユーザー要求による前記修正された胎児監視データを入手し、及び、
入手された前記修正された胎児監視データを表示するように前記ディスプレイデバイスを制御し、ラベル付けされた前記自由形式の注釈の各々がそのラベルに応じて表示される、請求項１から５のいずれか一項に記載のコンピューティングデバイス設備。
【請求項７】
前記プロセッサ設備は、さらに、前記注釈の生成に対する責任を担う前記ユーザーのタイプを表す色により、ラベル付けされた自由形式の注釈の各々を表示するように前記ディスプレイデバイスを制御する、請求項６に記載のコンピューティングデバイス設備。
【請求項８】
前記プロセッサ設備は、さらに、
前記識別手段からさらなる識別データを受信し、前記さらなる識別データが、以前に記憶された修正された胎児監視データの入手を要求するユーザーを識別し、
前記さらなる識別データを評価して、前記以前に記憶された修正された胎児監視データの入手を要求する前記ユーザーの権限レベルを確立し、
入手された前記修正された胎児監視データを表示するように前記ディスプレイデバイスを制御し、前記以前に記憶された修正された胎児監視データの入手を要求する前記ユーザーが見る権限を与えられている、受信された前記識別データに基づいてラベル付けされた前記自由形式の注釈のみが表示される、請求項６又は７に記載のコンピューティングデバイス設備。
【請求項９】
少なくとも１つの胎児監視センサーと、請求項１から８のいずれか一項に記載のコンピューティングデバイス設備とを含む胎児監視システムであって、前記少なくとも１つの胎児監視センサーが、前記胎児監視データを前記プロセッサ設備に提供する、胎児監視システム。
【請求項１０】
胎児監視データに注釈付けするコンピュータ実施方法であって、
胎児監視システムから前記胎児監視データを受信するステップと、
ディスプレイデバイスに前記胎児監視データを表示するステップと、
タッチスクリーンデバイスから前記タッチスクリーンデバイスの領域における自由形式の入力を受信するステップであって、前記自由形式の入力が、手書きされた、又は描かれた注釈を含む、受信するステップと、
前記自由形式の入力を使用して、前記タッチスクリーンデバイスの前記領域に対応する前記胎児監視データの表示領域に注釈付けすることにより前記胎児監視データを修正するステップと、
データ記憶デバイスにおける記憶のために、修正された前記胎児監視データの出力を生成するステップと、
識別手段から前記自由形式の入力を生成したユーザーに対するユーザー情報を含む識別データを受信するステップと、
前記識別データに基づいて自由形式の前記注釈にラベル付けするステップと
を有する、コンピュータ実施方法。
【請求項１１】
前記コンピュータ実施方法は、
以前に記憶された前記修正された胎児監視データの入手のためのユーザー要求を受信するステップと、
前記データ記憶デバイスから前記ユーザー要求による前記修正された胎児監視データを入手するステップと、
入手された前記修正された胎児監視データを表示するように前記ディスプレイデバイスを制御するステップと
をさらに有し、
受信された前記識別データに基づいてラベル付けされた前記自由形式の注釈の各々が、そのラベルに応じて表示される、請求項１０に記載のコンピュータ実施方法。
【請求項１２】
前記受信された識別データに基づいてラベル付けされた前記自由形式の注釈の各々をそのラベルに応じて表示することが、前記注釈の生成に対する責任を担う前記ユーザーのタイプを表す色により、ラベル付けされた前記自由形式の注釈の各々を表示するように前記ディスプレイデバイスを制御することを含む、請求項１１に記載のコンピュータ実施方法。
【請求項１３】
前記コンピュータ実施方法は、
前記識別手段からさらなる識別データを受信するステップであって、前記さらなる識別データが、前記以前に記憶された修正された胎児監視データの入手を要求するユーザーを識別する、受信するステップと、
前記さらなる識別データを評価して、前記以前に記憶された修正された胎児監視データの入手を要求する前記ユーザーの権限レベルを確立するステップと
をさらに有し、
前記入手された修正された胎児監視データを表示するように前記ディスプレイデバイスを制御するステップが、前記以前に記憶された修正された胎児監視データの入手を要求する前記ユーザーが見る権限を与えられている、ラベル付けされた前記注釈のみを表示するステップを有する、請求項１１又は１２に記載のコンピュータ実施方法。
【請求項１４】
請求項１から８のいずれか一項に記載のコンピューティングデバイス設備のプロセッサ設備において実行されたときに、前記プロセッサ設備が請求項１０から１３のいずれか一項に記載の方法を実施することをもたらすための、コンピュータ可読記憶媒体とともに具現化されたコンピュータ可読プログラム命令を含む当該コンピュータ可読記憶媒体を備える、コンピュータプログラム。
【発明の詳細な説明】
【技術分野】
【０００１】
本発明は、胎児監視システムから胎児監視データを受信するためのコンピューティングデバイス設備に関し、コンピューティングデバイス設備は、胎児監視データを表示するように構成されたディスプレイデバイスと、ディスプレイデバイスを制御するように構成されたプロセッサ設備とを備える。
【０００２】
本発明は、さらに、このようなコンピューティングデバイス設備を含む胎児監視システムに関する。
【０００３】
本発明は、さらに、このようなコンピューティングデバイス設備を使用して胎児監視データに注釈付けするコンピュータ実施方法に関する。
【０００４】
本発明は、さらに、コンピューティングデバイス設備においてこのような方法を実施するためのコンピュータプログラム製品に関する。
【背景技術】
【０００５】
胎児監視は、一般的に、例えば、胎児仮死症候群などの異常状態を診断するために、妊娠の後期段階中に適用される。これは、典型的には、カーディオトコグラフィーを使用して達成され、この場合において、妊婦の腹部に設置される複数のセンサーが、胎児心拍数と子宮収縮とを同時に測定するために使用される。これは、例えば、関係の変化、例えば、場合によってはこのような異常状態の発生を示す子宮収縮に対する応答としての胎児心拍数の変化に伴う、胎児心拍数と子宮収縮との間の関係を確立するために使用される。これは、医療専門家が適時に介入すること、及び、胎児の健康が損なわれる危険性を減らすことを可能にする。
【０００６】
胎児心拍数及び子宮収縮を含むセンサーデータの可視化は、従来、胎児監視セットアップの一部を形成する感熱プリンターを使用して達成されている。感熱プリンターは、典型的には紙の帯を生成し、紙の帯にセンサーデータ、及び、関係するパラメータが記録（印刷）され、このことは、医療専門家が胎児監視中に、例えば分娩中に重要な事象を強調表示するために紙の帯に手動で注釈付けし得るという利点をもつ。このような手動による注釈付けは、単純で個人に合った手法により、例えば手書きにより行われ得る結果、注釈が後の段階において、例えば、誕生後における胎児監視データの評価中に簡単に認識され得るので、このような手動による注釈付けは非常に望ましい。
【０００７】
このような紙の帯の欠点は、例えば、本来的によく知られているように２４時間を優に上回る時間を要し得る長期の分娩中に紙の帯が非常に長くなり得ることである。結果として、多量の紙の帯がこの期間中に生成され、このことが、後の段階における胎児監視データの評価を複雑にする。さらに、例えば、監視される妊婦が受ける医療ケアに関係した任意の法的紛争において証拠になるものとして、誕生後に胎児監視データを保持する法的な必要性が存在するので、大量の紙の帯が保管される必要があり、又は、代替的に、デジタル形式でのデータの記憶を円滑化するためにスキャンされる必要がある。これは煩わしく、時間がかかり、及び高コストである。
【０００８】
この理由により、例えば、胎児の心拍を示す信号を受信するように適応された胎児センサーユニットを含む無線胎児及び母体監視システムを開示している米国特許出願公開第２０１２／０２３２３９８（Ａ１）号に開示されている、胎児監視データがタブレットなどのポータブルディスプレイデバイスに表示される胎児監視システムが出現した。このシステムは、母体の子宮収縮時に作動可能な収縮アクチュエータをさらに含む。ゲートウェイデバイスは、データ可視化及びデータセキュリタイゼーションを提供する。ゲートウェイデバイスは、データ通信ネットワークを通した情報の遠隔送信を提供する。ゲートウェイデバイスから情報を受信するように適応されたサーバーが、データを記憶及び処理するように機能し、インターフェースシステムが、遠隔患者監視を可能にするように機能する。
【０００９】
このような胎児監視システムでは、ユーザーが、典型的には、ポータブルディスプレイデバイスのタッチスクリーンなどの適切なユーザーインターフェースにより有効化され得るドロップダウンメニューなどを使用して、胎児監視データに注釈を挿入し得る。このような胎児監視システムの典型的なユーザーは、注釈が挿入される際の関与手法、及び、典型的にはデフォルトフォントなどを使用してデジタル化胎児監視データに描かれる挿入された注釈の個人に合わせた性質の欠如といった理由により、このような注釈の挿入に不満をもっていることがわかった。さらに、このようなドロップダウンメニューなどを操作するために、ユーザーは、典型的には、キーボード又はマウスなどのユーザーインターフェースに依存する必要があり、ユーザーインターフェースはきれいにすることがひどく困難であるので、経時的には、このようなユーザーインターフェースの近傍において監視される母親、及び母親の生まれる前の子供に対して、このようなユーザーインターフェースが健康被害をもたらすおそれがある。
【発明の概要】
【発明が解決しようとする課題】
【００１０】
本発明は、デジタル胎児監視データに注釈付けする柔軟な手法を胎児監視システムのユーザーに提示するコンピューティングデバイス設備を提供することを目的とする。
【００１１】
本発明は、このようなコンピューティングデバイス設備を含む胎児監視システムを提供することをさらに目的とする。
【００１２】
本発明は、デジタル胎児監視データに注釈付けする、より柔軟な手法を胎児監視システムのユーザーに提示するコンピュータ実施方法を提供することをさらに目的とする。
【００１３】
本発明は、コンピューティングデバイス設備においてこのような方法を実施するためのコンピュータプログラム製品を提供することをさらに目的とする。
【課題を解決するための手段】
【００１４】
一態様によると、胎児監視システムから胎児監視データを受信するためのコンピューティングデバイス設備が提供され、コンピューティングデバイス設備は、胎児監視データを表示するように構成されたディスプレイデバイスと、タッチスクリーンデバイスと、ディスプレイデバイスとタッチスクリーンデバイスとに通信可能に結合されたプロセッサ設備とを備え、プロセッサ設備は、胎児監視システムから胎児監視データを受信することと、胎児監視データを表示するようにディスプレイデバイスを制御することと、タッチスクリーンデバイスからタッチスクリーンデバイスの領域における自由形式の入力を受信することと、自由形式の入力を使用して、前記タッチスクリーンデバイスの前記領域に対応する胎児監視データの表示領域に注釈付けすることにより胎児監視データを修正することと、データ記憶デバイスにおける記憶のために、修正された胎児監視データの出力を生成することとをするように構成される。自由形式の入力は、手書きされた、又は描かれた注釈を含み、コンピューティングデバイス設備は、プロセッサ設備に通信可能に結合された識別手段をさらに備え、プロセッサ設備は、識別手段から、自由形式の入力を生成したユーザーを識別するユーザー情報を含む識別データを受信するように、及び、自由形式の入力を生成したユーザーの識別データに基づいて自由形式の注釈のうちの少なくともいくつかにラベル付けするように構成される。
【００１５】
本発明の実施形態によると、コンピューティングデバイス設備が提供され、コンピューティングデバイス設備において、胎児監視データが表示され、ディスプレイデバイスに関係したタッチスクリーンを使用して、例えば手書き又は描いたものなどとして、自由形式の手法により注釈付けされ得、結果として、注釈付けされた胎児監視データが自由形式の注釈を含むデジタル形式で生成され得ることにより、胎児監視データが印刷された紙の大きい帯を保持する必要性をなくすと同時に、デジタルデータがこのような紙の帯と実質的に同じ手法により注釈付けされることを可能にする。この手法により、ユーザーは、このような紙の帯を生成する、又は、少なくとも保持する必要なく、このような紙の帯の直感的な注釈機能を提供される。
【００１６】
好ましい実施形態において、識別手段は、ＲＦ（ラジオ周波）タグリーダー又は指紋リーダーを備え、ＲＦタグリーダーから受信されたＲＦタグデータ、及び、指紋リーダーから受信された指紋データは識別データを含む。
【００１７】
好ましい実施形態において、タッチスクリーンデバイスは、ディスプレイデバイスのディスプレイスクリーンであり、すなわち、ユーザーが自由形式の注釈を生成することを望むエリア内において、ユーザーがディスプレイデバイスに単に触れ得るように、ディスプレイデバイスに統合される。しかし、代替的な実施形態において、タッチスクリーンデバイスは、ディスプレイデバイスから独立したものであってよく、例えば、ユーザーが自由形式の注釈を提供し得る独立したタブレットなどであってよい。このようなシナリオにおいて、タブレットなどのタッチスクリーンの領域におけるユーザーにより生成された自由形式の注釈が、ディスプレイデバイスのディスプレイスクリーンの対応する領域にマッピングされるように、独立したタブレットなどのタッチスクリーン領域が、典型的には、ディスプレイデバイスのディスプレイスクリーンにマッピングされる。
【００１８】
さらに異なる別の実施形態において、コンピューティングデバイス設備は、印刷可能媒体に胎児監視システムからの表示された胎児監視データを印刷するように構成されたプリンターデバイスをさらに備え、プリンターデバイスは、印刷可能媒体に印刷された胎児監視データを含む印刷可能媒体の一部をさらす注釈領域を備え、タッチスクリーンデバイスは、印刷可能媒体の一部の下において注釈領域に配置された感圧タッチスクリーンデバイスである。これは、ユーザーが印刷可能媒体に、例えば紙の帯に、依然として書き込み得るとともに、書き込みが、下側のタッチスクリーンデバイスにより記録され、胎児監視データのデジタル表現に自由形式の注釈として追加されるという利点をもつ。このようなプリンターデバイスは、例えば、感熱プリンターであるが、インクジェットプリンター又はレーザープリンターなどの他のプリンターも想定される。
【００１９】
特に有益な実施形態において、コンピューティングデバイス設備は、プロセッサ設備に通信可能に結合された識別手段としてＲＦタグリーダーを備え、プロセッサ設備は、ＲＦタグリーダーから受信された識別データとしてのＲＦタグデータに基づいて注釈のうちの少なくともいくつかにラベル付けするように構成され、ＲＦタグデータは、自由形式の入力を生成したユーザーに対するユーザー情報を含む。この手法により、例えば、特定の自由形式の注釈を生成した人の識別のために使用される、又は、別の例において、その人のユーザータイプ、例えば専門的な職能又は能力を識別するために使用されるユーザー情報を使用して、自由形式の注釈がタグ付けされ得る。
【００２０】
このような人は、その人の体に付けて、例えば識別バッジなどに入ったＲＦタグを携行する。別の有益な実施形態において、コンピューティングデバイス設備は、タッチスクリーンデバイスにおいて自由形式の入力を生成するための複数のスタイラスをさらに備え、各スタイラスは、情報を含むようにプログラム可能なＲＦタグを備える。これは、ユーザーがユーザーのスタイラスを使用して自由形式の注釈を生成するときに、ＲＦタグがＲＦタグリーダーの通信範囲内に存在することを保証されるように、ＲＦタグが好ましくはＲＦタグリーダーを含むタッチスクリーンデバイスに非常に近くなることを保証されるという利点をもつ。
【００２１】
さらに異なる別の有益な実施形態において、プロセッサ設備は、さらに、以前に記憶された修正された胎児監視データの入手のためのユーザー要求を受信するように、データ記憶デバイスから、ユーザー要求による修正された胎児監視データを入手するように、及び、入手された修正された胎児監視データを表示するようにディスプレイデバイスを制御するように構成され、ラベル付けされた注釈の各々がそのラベルに応じて表示される。例えば、プロセッサ設備は、さらに、注釈の生成に対する責任を担うユーザーのタイプを表す色により、ラベル付けされた注釈の各々を表示するようにディスプレイデバイスを制御するように構成される。これは、異なる役割が異なる色により表されることにより、例えば看護師、医師などの誰が特定の自由形式の注釈の生成に対する責任を担ったのかを、入手された胎児監視データを評価するユーザーが認識することを簡単にする。
【００２２】
さらに違う別の有益な実施形態において、プロセッサ設備は、さらに、識別手段からさらなる識別データを受信することであって、さらなる識別データが、以前に記憶された修正された胎児監視データの入手を要求するユーザーを識別する、受信することと、さらなる識別データを評価して、以前に記憶された修正された胎児監視データの入手を要求するユーザーの権限レベルを確立することと、入手された修正された胎児監視データを表示するようにディスプレイデバイスを制御することとをするように構成され、以前に記憶された修正された胎児監視データの入手を要求するユーザーが見る権限を与えられている、受信された識別データに基づいてラベル付けされた注釈のみが表示される。この実施形態において、記憶された胎児監視データを評価するユーザーが、そのユーザーに関係したさらなる識別データから決定されたように、ユーザーが見る権限を与えられた自由形式の注釈のみを見るように、ラベルとして自由形式の注釈に添付されたユーザー情報が、権限検証手段として使用される。したがって、これは、以前に記憶された胎児監視データを評価するユーザーがそのデータにおけるすべての注釈を見ることを防ぐために使用され得る。
【００２３】
別の一態様によると、少なくとも１つの胎児監視センサー及び、本明細書において説明される実施形態のうちの任意のもののコンピューティングデバイス設備を含む胎児監視システムが提供され、少なくとも１つの胎児監視センサーが、胎児監視データをプロセッサ設備に提供するように構成される。これは、したがって、ここまでにより詳細に説明されているように、デジタル化胎児監視データ内に自由形式の注釈が生成され得る内蔵胎児監視システムを提供する。
【００２４】
さらに異なる別の一態様によると、胎児監視データに注釈付けするコンピュータ実施方法が提供され、本方法は、胎児監視システムから胎児監視データを受信することと、ディスプレイデバイスに胎児監視データを表示することと、タッチスクリーンデバイスからタッチスクリーンデバイスの領域における自由形式の入力を受信することであって、自由形式の入力が、手書きされた、又は描かれた注釈を含む、受信することと、自由形式の入力を使用して、前記タッチスクリーンデバイスの前記領域に対応する胎児監視データの表示領域に注釈付けすることにより胎児監視データを修正することと、データ記憶デバイスにおける記憶のために、修正された胎児監視データの出力を生成することとを有する。このような方法を使用すると、胎児監視データは、自由形式の注釈を依然として含みながらデジタル形式で記憶されることにより、例えば、このようなデジタルデータのコンパクトなデータ記憶と、医療従事者による胎児監視データの直感的な注釈との利点を兼ね備える。コンピュータ実施方法は、識別手段から自由形式の入力を生成したユーザーに対するユーザー情報を含む識別データを受信することと、識別データに基づいて自由形式の注釈にラベル付けすることとをさらに有する。
【００２５】
一実施形態において、コンピュータ実施方法は、ＲＦタグリーダー又は指紋リーダーから自由形式の入力を生成したユーザーに対するユーザー情報を含む識別データとしてＲＦタグデータ又は指紋データを受信することと、注釈がラベル付けされるＲＦタグデータ又は指紋データに基づいて自由形式の注釈の各々が識別され得るように、ＲＦタグデータ又は指紋データに基づいて注釈にラベル付けすることとをさらに有する。
【００２６】
このようなラベルは、データ記憶デバイスから以前に生成された胎児監視データを入手するときに、自由形式の注釈が表示される手法を制御するために使用される。この目的を達成するために、コンピュータ実施方法は、以前に記憶された修正された胎児監視データの入手のためのユーザー要求を受信することと、データ記憶デバイスからユーザー要求による修正された胎児監視データを入手することと、入手された修正された胎児監視データを表示するようにディスプレイデバイスを制御することとをさらに有し、受信されたＲＦタグデータ又は指紋データに基づいてラベル付けされた注釈の各々が、そのラベルに応じて表示される。
【００２７】
例えば、受信されたＲＦタグデータに基づいてラベル付けされた注釈の各々をそのラベルに応じて表示することが、注釈がディスプレイデバイスに表示されるときの色からこのような注釈の作成元がすぐに認識され得るように、注釈の生成に対する責任を担うユーザーのタイプを表す色により、ラベル付けされた注釈の各々を表示するようにディスプレイデバイスを制御することを有する。
【００２８】
別の実施形態において、コンピュータ実施方法は、識別手段からさらなる識別データを受信することであって、さらなる識別データが、以前に記憶された修正された胎児監視データの入手を要求するユーザーを識別する、受信することと、さらなる識別データを評価して、以前に記憶された修正された胎児監視データの入手を要求するユーザーの権限レベルを確立することとをさらに有し、入手された修正された胎児監視データを表示するようにディスプレイデバイスを制御することが、以前に記憶された修正された胎児監視データの入手を要求するユーザーが見る権限を与えられている、ラベル付けされた注釈のみを表示することを有する。この実施形態において、特定の自由形式の注釈を見る権限のないユーザーは、記憶された胎児監視データにおいてこのような注釈に添付されたラベルの使用により、このような注釈を見ることを阻止される。
【００２９】
さらに異なる別の一態様によると、本明細書において説明される実施形態のうちの任意のもののコンピューティングデバイス設備のプロセッサ設備において実行されたときに、プロセッサ設備が本明細書において説明される実施形態のうちの任意のものの方法を実施することをもたらすための、コンピュータ可読記憶媒体とともに具現化されたコンピュータ可読プログラム命令を含むコンピュータ可読記憶媒体を備えるコンピュータプログラム製品が提供される。このようなコンピュータプログラム製品は、本発明の様々な態様を実施するようにコンピューティングデバイス設備を構成するために使用される。
【００３０】
本発明の実施形態は、添付図面を参照しながら、より詳細に、及び非限定的な例により説明される。
【図面の簡単な説明】
【００３１】
【図１】本発明の一実施形態による胎児監視システムを概略的に示す図である。
【図２】より詳細に本発明の任意の実施形態による胎児監視システムとともに使用するためのコンピューティングデバイス設備の一態様を概略的に示す図である。
【図３】このようなコンピューティングデバイス設備とともに使用するためのスタイラスの例示的な一実施形態を概略的に示す図である。
【図４】本発明の別の実施形態による胎児監視システムを概略的に示す図である。
【図５】より詳細に本発明の任意の実施形態による胎児監視システムとともに使用するためのコンピューティングデバイス設備の別の一態様を概略的に示す図である。
【図６】本発明の一実施形態による方法のコンピュータ実施態様のフロー図である。
【図７】本発明の別の実施形態による方法のコンピュータ実施態様のフロー図である。
【図８】本発明のさらに異なる別の実施形態による方法のコンピュータ実施態様の一態様のフロー図である。
【発明を実施するための形態】
【００３２】
図は概略図にすぎず、一定の縮尺で描かれないことが理解されなければならない。同一又は類似の部分を示すために、複数の図にわたって同じ参照符号が使用されることも理解されなければならない。
【００３３】
図１は、例示的な実施形態による胎児監視システムを概略的に示す。胎児監視システムは、コンピューティングデバイス設備２０のベースユニットの通信モジュール２２にセンサー１２、１４、１６のセンサーデータを通信するように構成された通信モジュール１８に通信可能に結合された複数のセンサー１２、１４、１６を含む胎児監視設備１０を備える。一実施形態における複数のセンサーは、少なくとも分娩センサー１２、及び、例えば超音波１５を使用した、胎児１の心拍を監視するための胎児心拍監視センサー１４を含む。例えば、胎児心拍監視センサー１４は、ドップラー超音波センサーである。分娩センサー１２は、同様に、胎児１を支える母親の子宮の周囲における筋肉の収縮を検出する、例えばひずみゲージ要素、加速度計などを使用して、任意の適切な手法により実施される。任意選択的に、複数のセンサーは、例えば母親の体温を検出する温度センサーなどの任意の適切な種類のセンサーである１つ又は複数のさらなるセンサー１６を含み、さらなる有用な種類のセンサーが当業者に直ちに明らかとなる。複数のセンサーは、任意の適切な手法により、例えば、接着剤を使用して個々に、又は代替的に、任意の適切な手法により母親の腹部に固定されるベルト又はストラップなどへの統合により、妊娠した母親の腹部エリアに装着される。したがって、母親の腹部に対するこのようなセンサー設備及びセンサー設備の装着自体はよく知られており、単に簡潔であることを目的として、さらに詳細に説明はされない。
【００３４】
通信モジュール１８は、コンピューティングデバイス設備２０のベースユニットの通信モジュール２２との有線又は無線通信に適応された通信モジュールなどの、任意の適切な種類の通信モジュールであってよい。任意の適切な通信規格が、通信モジュール１８と通信モジュール２２との間に採用されてよい。無線通信規格の場合、Ｂｌｕｅｔｏｏｔｈ（登録商標）などの低エネルギー無線通信プロトコルが、このような無線通信のために使用されるラジオ波に対する胎児１の曝露を制限するためにより好ましい。
【００３５】
コンピューティングデバイス設備２０のベースユニットは、複数のセンサーから受信されたセンサー信号を処理するように、及び、処理されたセンサー信号が表示されるディスプレイデバイス３０を制御するように構成された、１つ又は複数のプロセッサを含むプロセッサ設備２４をさらに備える。ディスプレイデバイス３０は、ベースユニットに統合されてよく、又は、代替的に、有線又は無線の手法によりベースユニットに通信可能に結合された独立したデバイスであってよい。典型的には、ディスプレイデバイス３０の第１の領域、例えば第１の水平領域に、分娩センサー１２からのセンサー信号が表示され、胎児心拍監視センサー１４からセンサー信号が、第２の領域、例えば第２の水平領域に表示され、経時的なこれらの信号の推移は、本来的によく知られているように任意の適切な手法により表示されるように、プロセッサ設備２４がディスプレイデバイス３０を制御するように適応される。分娩センサー１２からの、及び、胎児心拍監視センサー１４からのセンサー信号の同時表示は、医療従事者、例えば、助産師、看護師又は立会医がこれらの信号間の相関を確立すること、及び、このような相関の変化、例えば、分娩センサー１２を使用して検出された収縮により示されるような、分娩中に胎児心拍監視センサー１４を使用して検出された胎児１の心拍の変化を観察することを可能にし、この変化は分娩中における胎児１に対する健康上の危険性又は別の合併症を通知し、その通知が医療専門家により対処され、結果として、胎児１に対する重篤な、及び／又は回復不能な健康問題の危険性を減らす。
【００３６】
任意の適切なプロセッサ設備２４が、この目的に使用されてよい。例えば、プロセッサ設備２４は、本出願において説明されている機能を実施するようにプログラムされる、１つ又は複数の特定用途向け集積回路（ＡＳＩＣ）、及び／又は、１つ又は複数の一般的な中央処理ユニット（ＣＰＵ）を備えてよい。プロセッサ設備２４は、単一のプロセッサを備えてよく、又は、ＣＰＵ及び画像処理ユニット（ＧＰＵ）などの複数のプロセッサを備えてよく、第１のプロセッサは、胎児監視設備１０からのセンサー信号を処理するように適応された信号プロセッサであり、第２のプロセッサは、第１のプロセッサに通信可能に結合され、ディスプレイデバイス３０を制御（と対話する）するように構成される。
【００３７】
コンピューティングデバイス設備２０のベースユニットは、同様に任意の適切な形態をとってよい。例えば、ベースユニットは、パーソナルコンピュータ、タブレットコンピュータ、専用ベッドサイドモニターなどであってよい。
【００３８】
ここまでに説明されているように、医療従事者、例えば、助産師、看護師、又は立会医は、典型的には、例えばデータの特定の変化を説明するために、センサーデータのグラフィカル表現に注釈付けすることを望み、このような変化は、例えば食品の投与、投薬などの外部刺激により、又は、母親又は胎児の生理的状態の変化によりもたらされる。もちろん、このような医療従事者がセンサーデータ内における特定の出来事に注釈付けする他の理由が存在する。従来、センサーデータのこのようなグラフィカル表現が感熱プリンターなどのプリンターデバイスを使用して生成された場合、医療専門家が紙の帯に書き込むことにより、ペン又は鉛筆を使用してこのようなプリンターデバイスにより生成された紙の帯に注釈付けするだけである。対照的に、センサーデータのこのようなグラフィカル表現がディスプレイデバイス３０に生成された場合、医療従事者は、例えばドロップダウンメニューなどを含むグラフィカルユーザーインターフェースを提示され、グラフィカルユーザーインターフェースを通して、医療従事者は、例えばキーボード、マウス、トラックボールなどの典型的なユーザーインターフェースを使用してセンサーデータのデジタル化グラフィカル表現に追加される特定の注釈を選択し得、センサーデータを印刷するときに、例えば既定のフォントを使用して既定の注釈エリアなどの印刷物における規定の位置に、標準化された形態で注釈が再現され得る。しかし、これはいくぶん煩わしく、特に分娩中に行われるのであり、分娩中は、医療従事者が母親の子供すなわち胎児１の出産に集中しており、センサーデータのグラフィカル表現に対する注釈の追加を円滑化するためにディスプレイデバイス３０における適切なドロップダウンメニューを選択するために、コンピューティングデバイス設備２０、特にそのユーザーインターフェースと対話することに過度な長さの時間を割り当てることに気が進まず、このような注釈は典型的には標準フォントにより結果的に表されるので、医療従事者が医療従事者自身の手書きによりセンサーデータのグラフィカル表現に注釈付けをするという可能性を喪失するというさらなる欠点を伴う。さらに、このような注釈を提供するために必要とされるユーザーインターフェース、例えば、キーボード及び／又はマウスは、例えば細菌などの生物学的汚染物により汚染されやすく、効果的に消毒することが難しいので、これらのユーザーインターフェースが妊婦、及び、妊婦の生まれる前の子供に、もちろん非常に望ましくない健康被害をもたらし得る。
【００３９】
本発明によると、コンピューティングデバイス設備２０は、プロセッサ設備２４に通信可能に結合されたタッチスクリーン３２をさらに備え、タッチスクリーン３２に対して、医療専門家が、「投薬」という手書きの注釈、及び、又は、胎児監視設備１０からのセンサーデータのグラフィカル表現３４における時点又は特定の変化を示す描かれた矢印により、図２に概略的に示されるように自由形式の注釈３６、すなわち、手書きされた、又は描かれた注釈を提供し得る。より具体的には、プロセッサ設備２４は、タッチスクリーン３２から受信された自由形式の注釈３６を使用してセンサーデータに注釈付けするように構成されるので、ユーザー、例えば医療専門家が自由形式の注釈３６を生成したタッチスクリーン３２の領域が、センサーデータのグラフィカル表現３４が表示されたディスプレイデバイス３０の対応する領域にマッピングされ、結果としてセンサーデータの適切な部分が自由形式の注釈３６を使用してラベル付けされる。これは、自由形式の注釈３６を生成するために使用される機器が簡単に消毒され（きれいにされ）得ることにより、妊婦、及び、妊婦の生まれる前の子供に対する危険性を大幅に減らすというさらなる利点をもつ。単純な実施形態において、タッチスクリーン３２がディスプレイデバイス３０の統合部分を形成していることにより、ユーザーは、ディスプレイデバイス３０のタッチスクリーン３２に触れるだけで、所望の位置に、すなわち、ディスプレイデバイス３０に表示されたセンサーデータの関連部分に自由形式の注釈３６を提供し得る。
【００４０】
任意の適切な種類のタッチスクリーン３２がこの目的に使用されてよい。いくつかの実施形態において、タッチスクリーン３２は、本来的によく知られているようにタッチスクリーン３２を押し込むことにより、タッチスクリーン３２のユーザーが自由形式の注釈３６を生成する感圧タッチスクリーンであるが、他の種類のタッチスクリーン、例えば容量性タッチスクリーンが、このような自由形式の注釈の生成をこのような他の種類のタッチスクリーンが円滑化する任意の実施形態に使用されてよいことが理解されなければならない。ユーザーは、任意の適切な手法によりタッチスクリーン３２に自由形式の注釈３６を生成する。例えば、ユーザーは、ユーザーの指、ペンなどを使用する。一実施形態において、タッチスクリーン３２は、図３に概略的に示されるように専用スタイラス４０を備え、専用スタイラスは、専用スタイラスのユーザーが高精度に自由形式の注釈３６を生成することを可能にすることにより、ユーザーの手書き又は描く様式を非常に良く模倣する細い先端部４１を備える。
【００４１】
プロセッサ設備２４は、例えばデータ保持目的で、又は、後の時点、例えば誕生後における、修正の加えられたセンサーデータの評価を円滑化するために、タッチスクリーン３２から受信された自由形式の注釈３６を使用して修正の加えられたセンサーデータをデータ記憶デバイス２８に記憶するようにさらに適応される。データ記憶デバイス２８は、コンピューティングデバイス設備２０に統合されるが、いくつかの実施形態において、データ記憶デバイス２８は、ネットワーク、例えば、母親が出産する医療施設のローカルエリアネットワーク（ＬＡＮ）などのプライベートネットワークを通じてコンピューティングデバイス設備２０を相手としてアクセス可能な遠隔データ記憶装置設備を備える。このような遠隔データ記憶装置設備は、現場に、又は、例えばクラウド記憶装置の形態をとって、離れた場所に位置する。このような遠隔データ記憶装置設備の場合、プロセッサ設備２４は、例えばネットワークアダプタなどの、データ通信モジュール２２、又は、コンピューティングデバイス設備２０の別のデータ通信モジュールを通して、遠隔データ記憶装置設備と通信するように適応される。任意の適切な種類のデータ記憶デバイス、又はそれらの組み合わせが、このようなデータ記憶装置、例えば、光ディスク、磁気ディスク、メモリデバイスなどのために使用されてよい。
【００４２】
好ましい実施形態において、プロセッサ設備は、例えばユーザー識別情報、ユーザーの専門的な能力又は職能などの自由形式の注釈を生成したユーザーのユーザー情報を使用して自由形式の注釈３６の各々にラベル付けするように適応される。このようなユーザー情報は、例えばメタデータとして、任意の適切な手法により自由形式の注釈３６に組み込まれる。この目的を達成するために、コンピューティングデバイス設備２０は、プロセッサ設備２４に通信可能に結合されたＲＦタグリーダー２６をさらに備え、ＲＦタグリーダー２６は、コンピューティングデバイス設備２０の任意の適切なエンティティ、例えば、そのベースユニット、ディスプレイデバイス３０、又はタッチスクリーン３２などに統合される。ＲＦタグリーダー２６は、ユーザーにより携行されて、ＲＦタグリーダー２６によりＲＦタグ４２から読み取られるユーザー情報を含むＲＦタグ４２を読み取るように構成され、ＲＦタグリーダー２６は、タッチスクリーン３２を使用してそのユーザーにより生成された自由形式の注釈３６に対するラベルとしての記憶のために、プロセッサ設備２４に読み取られたユーザー情報を通信する。ＲＦタグリーダー２６は、ＲＦタグ４２からユーザー情報を抽出するために、近距離無線通信などの任意の適切な通信技術を採用する。ユーザーは、任意の適切な手法により、例えば識別バッジなどに入ったチップの形態でＲＦタグ４２を携行する。しかし、特に有益な実施形態においてコンピューティングデバイス設備２０は複数のスタイラス４０を備え、ユーザーが、タッチスクリーン３２にユーザーのスタイラス４０を使用して自由形式の注釈３６を提供したときに、システムにより自動的に識別されるように、各スタイラス４０は、胎児監視システムの特定のユーザーのユーザー情報を含むようにプログラム可能なＲＦタグ４２を備える。この実施形態においてＲＦタグ４２とＲＦタグリーダー２６との間の信頼可能な通信を確実なものとするために、ＲＦタグリーダー２６は、好ましくは、タッチスクリーン３２に統合される。
【００４３】
上述の実施形態において、タッチスクリーン３２は、ディスプレイデバイス３０の一部を形成する。しかし、本発明の実施形態は、ディスプレイデバイス３０内におけるタッチスクリーン３２のこのような統合された設備に限定されないことが理解されなければならない。図４は、例えば、センサーデータの刻印された、又は刻まれた基準グリッドなどの、ディスプレイデバイス３０に表示されたセンサーデータに対する、又は、感熱プリンターにより印刷された紙の帯における、刻印された、又は刻まれた基準を含むカスタマイズされたタッチパッドといった独立したタッチスクリーン３２が提供される代替的な実施形態を概略的に示す。これは、医療専門家が異なるデバイスにおいてセンサーデータを見ることを必要とするが、そのことは、タッチスクリーン３２がディスプレイデバイス３０から分離されるという理由により、医療専門家がより動きやすく、より柔軟な手法により自由形式の注釈３６を生成し得るという利点をもつ。
【００４４】
別の実施形態において、コンピューティングデバイス設備２０は、図５に概略的に示されるプリンターデバイス５０、例えば感熱プリンターデバイス、又は代替的にインクジェットプリンター又はレーザープリンターを備える。プリンターデバイス５０は、例えば紙の帯などの印刷可能媒体５２に胎児監視システムからの表示された胎児監視データを印刷するように構成される。プリンターデバイスは、印刷可能媒体５２に印刷された胎児監視データを含む印刷可能媒体５２の一部をさらす注釈領域５４を備え、胎児監視システムのユーザーが印刷可能媒体５２の露出した部分に書き込むことにより自由形式の注釈３６を生成し得るように、感圧タッチスクリーンデバイス３２が印刷可能媒体５２の一部の下において注釈領域５４に配置されており、ここまでに詳細に説明されているように、書き込みが下側の感圧タッチスクリーンデバイス３２により捕捉され、データ記憶デバイス２８における記憶のために胎児監視センサーデータのデジタル化表現に追加される。これは、ユーザー、例えば医療専門家が、一般的な手法により自由形式の注釈３６を生成するという利点をもつと同時に、デジタル形式による自由形式の注釈３６の自動生成を円滑化する。
【００４５】
図６は、本発明の実施形態によるコンピューティングデバイス設備２０のプロセッサ設備２４により実施される方法１００のフロー図である。方法１００は、工程１０１から始まり、工程１０１において、胎児監視設備１０が、上述のような任意の適切な手法により妊婦に装着されてスイッチオンされることにより、プロセッサ設備２４がデータ通信モジュール２２を通して胎児監視設備１０から胎児監視データを受信する。工程１０５において、プロセッサ設備２４が受信された胎児監視データを処理し、胎児監視データを表示するようにディスプレイデバイス３０を制御する。工程１０７において、プロセッサ設備２４は、タッチスクリーンデバイス３２からタッチスクリーンデバイス３２の領域における自由形式の入力３６を受信し、工程１１１において、自由形式の入力３６は、自由形式の入力３６が受信されたタッチスクリーンデバイスの領域に対応した胎児監視データの表示領域にこの自由形式の入力を使用して注釈付けすることにより胎児監視データを修正するように、プロセッサ設備２４により使用される。
【００４６】
工程１１３において、プロセッサ設備２４は、胎児監視が継続されるか否かを確認する。継続する場合、方法１００は、工程１０３に戻り、継続しない場合、方法１００は、工程１１５に進み、工程１１５において、プロセッサ設備は、ここまでに説明されているようにデータ記憶デバイス２８に、自由形式の注釈３６を使用して修正の加えられたデータを記憶することにより、修正された胎児監視データの出力を生成する。代替的に、プロセッサ設備２４は、胎児監視中に連続的な手法により、又はバッチによりデータ記憶デバイス２８に、この修正された胎児監視データを記憶し、この場合、工程１１３と工程１１５とが交換される。データ記憶デバイス２８における修正された胎児監視データの記憶時、及び、胎児監視の完了時に、方法１００が、工程１１７において終了する。胎児監視の完了は、任意の適切な手法により、例えば、患者解放工程の開始により達成され、本手法のために、専用ボタン、例えば、押しボタン又はスマートボタンが使用される。
【００４７】
ここまでに説明されているように、方法１００は、ユーザー情報を使用して工程１０７において受信された自由形式の注釈３６にラベル付けすることにより、図７に示されるフロー図に従って変更を加えられる。この目的を達成するために、方法１００は、工程１０９をさらに有し、工程１０９において、プロセッサ設備２４は、ＲＦＩＤタグリーダーから、ＲＦＩＤタグリーダー２６を使用してＲＦＩＤタグ４２から抽出されたユーザー情報を受信し、工程１１１において、ここまでに説明されているように工程１１３に進む前に、結果的に受信されたユーザー情報を使用して自由形式の注釈３６にラベル付けする。
【００４８】
ここで、このようなユーザー情報を使用してラベル付けされた自由形式の注釈３６が本発明の実施形態においてどのようにてこ入れされるかがさらに説明される。第１の例示的な実施形態において、ユーザーは、特定のタイプのユーザーにより生成された自由形式の注釈３６に特に興味をもつ。例えば、医師又は立会医は、他の医師又は立会医により、助産師により、及びその他の者により胎児監視データに挿入された自由形式の注釈３６に特に興味をもつ。このようなシナリオにおいて、プロセッサ設備２４は、特定のタイプのユーザーにより生成された自由形式の注釈３６がそのタイプのユーザーに関係した色により表示されるように、ディスプレイデバイス３０に表示された自由形式の注釈３６に対する色コード分けを採用するように構成され、その結果、例えば、立会医又は医師により生成された自由形式の注釈３６が、助産師により生成された自由形式の注釈３６とは異なる色により表示され、その結果、このような自由形式の注釈３６を含む修正された胎児監視データを評価するユーザーが、どういったタイプのユーザー、例えばどういったタイプの医療専門家が、データにおける特定の自由形式の注釈３６の生成に対する責任を担っていたのかをすぐに認識し得る。これは、任意の適切な手法により達成される。例えば、ＲＦＩＤタグ４２に記憶されたユーザー情報は、ＲＦＩＤタグ４２を装着又は保持している人のユーザータイプを識別し、この場合、プロセッサ設備２４は、異なるタイプのユーザーを認識して、そのユーザータイプに割り当てられた特定の色に、それらの自由形式の注釈３６を関係付けるようにプログラムされる。プロセッサ設備２４は、修正された胎児監視データに含まれる自由形式の注釈３６のメタデータラベルとして結果的に識別された色を組み込み、又は代替的に、自由形式の注釈３６にユーザー情報を組み込み、結果として、自由形式の注釈３６を含む修正された胎児監視データを表示する前に、自由形式の注釈３６のラベルが、自由形式の注釈３６がディスプレイデバイス３０に表示される色を決定するように処理される。
【００４９】
別の例示的な実施形態において、胎児監視データにおける特定の領域又は位置が、ユーザータイプに基づいてこのような自由形式の注釈３６に対してアクセス可能にされる。例えば、医師のみが例えばデータをサインオフするために、胎児監視データの初期及び終期部分に注釈付けすることを可能にされることにより、データをサインオフする権限のないスタッフ、例えば看護師はサインオフすることができない。
【００５０】
別の例示的な実施形態において、ユーザー情報が、どの自由形式の注釈３６が特定のユーザーに表示されるかを特定するために使用される。例えば、特定のユーザーが、ディスプレイデバイス３０に表示するためにデータ記憶デバイス２８から、自由形式の注釈３６を使用して修正の加えられた以前に記憶された胎児監視データを入手しようと試みる場合、このようなユーザーは、このような以前に記憶されたデータにアクセスを行うために、権限情報を提供することを必要とする。これは、このようなユーザーが、ここまでに説明されているようにさらなるＲＦＩＤタグ４２を装着すること、又は、このようなＲＦＩＤタグ４２を含むスタイラス４０を使用することにより達成され、プロセッサ設備２４は、ＲＦタグリーダー２６からさらなるＲＦタグからのユーザー情報を受信するように構成され、この情報は、以前に記憶された修正された胎児監視データの入手を要求しているユーザーを識別する。プロセッサ設備２４は、続いて、さらなるＲＦタグからのデータを評価して、例えば、権限を与えられたユーザーの各々が識別されているユーザーのデータベースを参照することにより、以前に記憶された修正された胎児監視データの入手を要求するユーザーの権限レベルを確立する。したがって、結果的に確立された権限レベルは、ユーザーが見ることについて許可された、又は権限を与えられた、入手された胎児監視データにおけるそれらの自由形式の注釈３６のみを可視化するために、プロセッサ設備２４により使用される。この手法により、例えば、自由形式の注釈３６を使用して修正の加えられた、以前に記憶された胎児監視データを評価する看護師又は助産師が、医師又は立会医などのより高いランクの医療専門家による注釈を読み得ることが防止される。他のシナリオがすぐに当業者に明らかとなる。このような自由形式の注釈３６を可視化するために、プロセッサ設備２４は、入手された修正された胎児監視データを表示するようにディスプレイデバイスを制御し、以前に記憶された修正された胎児監視データの入手を要求するユーザーが見る権限を与えられている自由形式の注釈３６のみが表示される。代替的に、このようなユーザーは、このような入手された修正された胎児監視データの印刷物を要求する場合、以前に記憶された修正された胎児監視データの入手を要求するユーザーが見る権限を与えられている自由形式の注釈のみが印刷及び表示される。
【００５１】
図８は、上述のように、データ記憶装置デバイス２８に以前に記憶された、及びデータ記憶装置デバイス２８から入手された胎児監視データとともに自由形式の注釈３６を可視化する方法２００の例示的な一実施形態のフロー図を示す。方法２００は、例えば、ユーザーがログオンなどすることによりコンピューティングデバイス設備２０にアクセスを行うことにより工程２０１から始まり、その後、方法は工程２０３に進み、工程２０３において、プロセッサ設備３４がデータ記憶デバイス２８から、自由形式の注釈３６を使用して修正の加えられた、以前に記憶された胎児監視データを入手するようにユーザーから要求を受信する。プロセッサ設備２４は、工程２０５において、要求されたデータを入手し、工程２０７において、ＲＦＩＤタグリーダー２６からユーザーのＲＦＩＤタグ４２に記憶されたＲＦＩＤタグ情報、すなわちユーザー情報を受信する。
【００５２】
工程２０９において、プロセッサ設備２４が、ＲＦＩＤタグリーダー２６から受信されたユーザー情報を評価して、例えば、ユーザーの識別情報、ユーザーのタイプ、例えば、ユーザーの専門的な職能又は能力、ユーザーの権限レベルなどを特定し、工程２１１において、評価結果が、データ記憶デバイス２８から入手された修正された胎児監視データを表示するようにディスプレイデバイス３０（又は、代替的な実施形態において印刷デバイス）を制御するためにプロセッサ設備２４により使用され、工程２１１において、修正された胎児監視データにおける自由形式の注釈３６が以前に記憶された胎児監視データの入手を要求するユーザーに関係したＲＦＩＤタグ４２から入手されたユーザー情報の評価に従って表示され、表示することは、ここまでに説明されているように、非限定的な例において、入手されたユーザー情報に従って自由形式の注釈３６を色コード分けすること、又は、ここまでにより詳細に説明されているように、そのユーザーに関係したＲＦＩＤタグ４２から入手されたユーザー情報に基づいて、ユーザーが見る権限を与えられた自由形式の注釈３６のみを表示することを有する。工程２１１において入手された修正された胎児監視データ表示した後、又は別様に可視化した後、方法２００が工程２１３において終了する。
【００５３】
上述の実施形態では、コンピューティングデバイス設備が識別手段としてＲＦタグリーダーを備えるが、他の実施形態において、コンピューティング設備は、識別手段として指紋リーダーを備えてよい。指紋リーダーは、タッチスクリーンに組み込まれてよく、又は、例えば、タッチスクリーンデバイス付近に位置する独立したデバイスであってよい。指紋リーダーは、指紋データを読み取るように適応され、指紋データは、ユーザー情報、すなわち、ユーザーの識別情報に関する情報を含む。さらに、指紋リーダーは、指紋データに関連したユーザー情報を記憶する記憶ユニットに接続され得る。この実施形態において、ユーザーによる特定のＲＦタグの携行が省略され得ると同時に、コンピューティングデバイス設備の安全性が確実なものとされ得る。
【００５４】
方法１００及び２００の上述の実施形態は、プロセッサ設備２４において実行されたときに、プロセッサ設備が方法１００及び／又は２００を実施することをもたらす、コンピュータ可読記憶媒体において具現化されたコンピュータ可読プログラム命令により実現されてよい。任意の適切なコンピュータ可読記憶媒体、例えば例として光学的可読媒体、例えばＣＤ、ＤＶＤ、又はブルーレイディスク、磁気的可読媒体、例えばハードディスク、電子データ記憶デバイス、例えばメモリスティックなど、及びその他がこの目的に使用されてよい。コンピュータ可読プログラム命令がネットワークを介してアクセスされるように、コンピュータ可読記憶媒体は、インターネットなどのネットワークを介してアクセス可能な媒体であってよい。例えば、コンピュータ可読記憶媒体は、ネットワーク接続型記憶デバイス、ストレージエリアネットワーク、クラウドストレージなどであってよい。コンピュータ可読記憶媒体は、インターネットアクセス可能サービスであってよく、このインターネットアクセス可能サービスからコンピュータ可読プログラム命令が取得されてよい。一実施形態において、コンピューティングデバイス設備２０は、このようなコンピュータ可読記憶媒体からコンピュータ可読プログラム命令を入手するように、及び、データ記憶装置設備（図示されていない）に、例えば、データ記憶装置設備の一部を形成するメモリデバイスなどに入手されたコンピュータ可読プログラム命令を記憶させることにより、新しいコンピュータ可読記憶媒体を生成するように適応される。
【００５５】
上述の実施形態は本発明を限定するのではなく例示すること、及び、当業者が添付の請求項の範囲から逸脱することなく多くの代替的な実施形態を設計することが可能であることに留意されなければならない。特許請求の範囲において、括弧間に位置するいずれの参照符号も、請求項を限定すると解釈されてはならない。「備える（含む、有する、もつ）」という用語は、請求項において列挙される要素及びステップ以外の要素及びステップの存在を否定するわけではない。要素に先行する英語の「ａ（不定冠詞）」又は「ａｎ（不定冠詞）」に対応する表現は、複数のこのような要素の存在を否定するわけではない。本発明は、いくつかの区別される要素を備えるハードウェアにより実施されてよい。いくつかの手段を列挙したデバイスの請求項において、これらの手段のうちのいくつかが同じ１つのハードウェア物品により具現化されてよい。単に特定の手段が相互に異なる従属請求項に記載されているということが、利点を得るためにこれらの手段の組み合わせが使用不可能なことを示すわけではない。
【図１】
2020523150.tif 000003
【図２】
2020523150.tif 000004
【図３】
2020523150.tif 000005
【図４】
2020523150.tif 000006
【図５】
2020523150.tif 000007
【図６】
2020523150.tif 000008
【図７】
2020523150.tif 000009
【図８】
2020523150.tif 000010
【国際調査報告】
2020523150.tif 000011
2020523150.tif 000012
2020523150.tif 000013
2020523150.tif 000014
2020523150.tif 000015